(57)【要約】【課題】レンズユニットのフレームに対する撮像素子の姿勢が変化し難くて、高い撮影精度を有する撮像装置を提供する。【解決手段】本発明に係る撮像装置は、フレーム11にレンズを取り付けて構成されるレンズユニットと、前記レンズを通過した光線が入射すべき撮像素子２とを具え、前記レンズユニットのフレーム11に対して、前記撮像素子２を収容する開口31が形成された板部材３が固定され、該板部材３に対して前記撮像素子２が接着固定されている撮像装置であって、前記板部材３のレンズ側の表面35には、前記開口31を包囲する領域の少なくとも一部に、前記開口31の縁に沿って延びる隆起部32が形成され、該隆起部32と前記撮像素子２との間に接着剤７が充填されて、板部材３に撮像素子２が固定されている。ここで、前記板部材３の隆起部32は、板部材３の一部を断面逆Ｕ字状に屈曲変形させることによって形成されている。【選択図】図２
2011018954.tif 000002
【特許請求の範囲】
【請求項１】
フレームにレンズを取り付けて構成されるレンズユニットと、前記レンズを通過した光線が入射すべき撮像素子とを具え、前記レンズユニットのフレームに対して、前記撮像素子を収容する開口が形成された板部材が固定され、該板部材に対して前記撮像素子が接着固定されている撮像装置において、
前記板部材のレンズ側の表面又は裏面には、前記開口を包囲する領域の少なくとも一部に、前記開口の縁に沿って延びる隆起部が形成され、該隆起部と前記撮像素子との間に接着剤が充填されて、板部材に撮像素子が固定されていることを特徴とする撮像装置。
【請求項２】
前記板部材の隆起部は、板部材の一部を断面逆Ｕ字状又は断面Ｕ字状に屈曲変形させることによって形成されている請求項１に記載の撮像装置。
【請求項３】
前記板部材の隆起部は、該隆起部を構成すべき隆起構成部材を板部材のレンズ側の表面又は裏面に固着することによって形成されている請求項１に記載の撮像装置。
【請求項４】
前記板部材の裏面側には、前記撮像素子を実装したフレキシブル基板が配置され、該フレキシブル基板の表面と、前記撮像素子の側面と、前記板部材の隆起部と、前記板部材に形成されている開口の内壁とによって包囲された空間に接着剤溜まりが形成されて、該接着剤溜まりに前記接着剤が充填されている請求項１乃至請求項３の何れかに記載の撮像装置。
【請求項５】
前記撮像素子の表面には弾性部材が配備されており、該弾性部材は、撮像素子とレンズユニットのフレームとにより挟圧されている請求項１乃至請求項４の何れかに記載の撮像装置。
【発明の詳細な説明】
【技術分野】
【０００１】
本発明は、デジタルカメラ等、撮像素子を具えた撮像装置に関する。
【背景技術】
【０００２】
この種の撮像装置は、フレームにレンズを取り付けて構成されるレンズユニットと、レンズを通過した光線が入射すべき撮像素子とを具え、レンズユニットのフレームに対して、撮像素子が接着固定された板部材が取り付けられている（例えば、特許文献１参照）。
従来は、図７に示す如く、板部材(３)のレンズ側の表面(35)に撮像素子(２)が接着剤(７)により接着固定されていたため、撮像素子(２)及び板部材(３)の全体の厚さが大きくなる問題があった。
【０００３】
そこで、図８に示す如く、板部材(３)に撮像素子(２)を収容するための開口(31)を形成し、該開口(31)に撮像素子(２)を収容した状態で該撮像素子(２)を板部材(３)に接着固定することが提案されている（特許文献１参照）。
【先行技術文献】
【特許文献】
【０００４】
【特許文献１】特開２００８−２０５７２３号公報
【発明の概要】
【発明が解決しようとする課題】
【０００５】
しかし、図８に示す如く開口(31)が形成された板部材(３)は、その強度が低下することになる。このため、該板部材(３)や撮像素子(２)に応力が加わった場合には板部材(３)が変形して、板部材(３)に接着固定されている撮像素子(２)の姿勢がレンズユニットのフレームに対して変化する問題があった。撮像素子(２)の姿勢がレンズユニットのフレームに対して変化すると、撮像装置の撮影精度が低下する。
【０００６】
又、撮像素子(２)と板部材(３)との接着強度を向上するべく、撮像素子(２)と板部材(３)との間に接着剤(７)が介在し易くなる様に、図９に示す如く開口(31)を包囲する領域の少なくとも一部に潰し加工を施して、該領域に接着剤溜まり(101)を形成することが考えられている。しかし、板部材(３)に潰し加工を施すことにより駄肉が発生し、これにより板部材(３)のレンズ側表面(35)の面精度が低下する問題があった。板部材(３)のレンズ側表面(35)の面精度が低下すると、撮像素子(２)の姿勢がレンズユニットのフレームに対して変化して、撮像装置の撮影精度が低下する虞がある。
【０００７】
そこで本発明の目的は、レンズユニットのフレームに対する撮像素子の姿勢が変化し難くて、高い撮影精度を有する撮像装置を提供することである。
【課題を解決するための手段】
【０００８】
本発明に係る撮像装置は、フレームにレンズを取り付けて構成されるレンズユニットと、前記レンズを通過した光線が入射すべき撮像素子とを具え、前記レンズユニットのフレームに対して、前記撮像素子を収容する開口が形成された板部材が固定され、該板部材に対して前記撮像素子が接着固定されている撮像装置であって、前記板部材のレンズ側の表面又は裏面には、前記開口を包囲する領域の少なくとも一部に、前記開口の縁に沿って延びる隆起部が形成され、該隆起部と前記撮像素子との間に接着剤が充填されて、板部材に撮像素子が固定されている。
【０００９】
上記撮像装置においては、隆起部が板部材の開口の縁に沿って延びており、これにより板部材の強度が高められている。従って、撮像素子又は板部材に応力が加わった場合でも板部材は変形し難く、このため板部材に接着固定されている撮像素子の姿勢は、レンズユニットのフレームに対して変化し難い。よって、上記撮像装置によれば、その撮影精度が高く維持されることになる。
【００１０】
更に、板部材に形成された隆起部は、製造工程にて接着剤を塗布するべき位置を示す指標となる。よって、製造工程において誤った位置に接着剤が塗布されることが防止され、その結果、撮像素子の板部材への接着不良が発生し難い。
【００１１】
上記撮像装置の具体的構成において、前記板部材の隆起部は、板部材の一部を断面逆Ｕ字状又は断面Ｕ字状に屈曲変形させることによって形成されている。
板部材の一部を屈曲変形させる場合には駄肉が発生しないため、従来の如く、板部材の開口を包囲する領域の少なくとも一部に潰し加工を施して、該領域に接着剤溜まりが形成されている撮像装置と比較して、板部材のレンズ側表面の面精度が向上することになる。従って、レンズユニットのフレームに対する撮像素子の姿勢が変化し難く、その結果、上記撮像装置において、より高い撮影精度が得られることとなる。
【００１２】
前記板部材の隆起部は、該隆起部を構成すべき隆起構成部材を板部材のレンズ側の表面又は裏面に固着することによって形成されてもよい。
板部材のレンズ側表面又は裏面に隆起構成部材を固着する場合には駄肉が発生しないため、従来の如く、板部材の開口を包囲する領域の少なくとも一部に潰し加工を施して、該領域に接着剤溜まりが形成されている撮像装置と比較して、板部材のレンズ側表面の面精度が向上することになる。従って、レンズユニットのフレームに対する撮像素子の姿勢が変化し難く、その結果、上記撮像装置において、より高い撮影精度が得られることとなる。
【００１３】
上記撮像装置の他の具体的構成において、前記板部材の裏面側には、前記撮像素子を実装したフレキシブル基板が配置され、該フレキシブル基板の表面と、前記撮像素子の側面と、前記板部材の隆起部と、前記板部材に形成されている開口の内壁とによって包囲された空間に接着剤溜まりが形成されて、該接着剤溜まりに前記接着剤が充填されている。
該具体的構成によれば、接着剤溜まりに接着剤を充填することにより、板部材の隆起部と撮像素子との間に接着剤が充填され、これによって板部材に撮像素子が接着固定されることになる。
【００１４】
上記撮像装置の更なる他の具体的構成において、前記撮像素子の表面には弾性部材が配備されており、該弾性部材は、撮像素子とレンズユニットのフレームとにより挟圧されている。
隆起部と撮像素子との間には接着剤が充填されているので、該隆起部が板部材のレンズ側表面に形成されている場合には、撮像素子に固着した接着剤の一部が、板部材のレンズ側表面に固着して該表面を覆うことになる。従って、弾性部材が挟圧されることによって撮像素子に加わる応力は、撮像素子と接着剤を経て板部材のレンズ側表面により受け止められることになる。よって、撮像素子は、板部材に強固に固定されることになる。
【発明の効果】
【００１５】
本発明に係る撮像装置は、レンズユニットのフレームに対する撮像素子の姿勢が変化し難くて、高い撮影精度を有する。
【図面の簡単な説明】
【００１６】
【図１】図１は本発明の一実施形態に係る撮像装置の撮像系を示す分解斜視図である。
【図２】図２は該撮像系の鉛直断面図である。
【図３】図３は図２の領域Ａを拡大して示した断面図である。
【図４】図４は上記撮像系の第１変形例の要部を示した断面図である。
【図５】図５は上記撮像系の第２変形例の要部を示した断面図である。
【図６】図６は上記撮像系の第３変形例の要部を示した断面図である。
【図７】図７は従来の撮像装置の一例について、その撮像系の要部を示した断面図である。
【図８】図８は従来の撮像装置の他の例について、その撮像系の要部を示した断面図である。
【図９】図９は従来の撮像装置の更なる他の例について、その撮像系の要部を示した断面図である。
【発明を実施するための形態】
【００１７】
以下、本発明をデジタルカメラに実施した形態につき、図面に沿って具体的に説明する。
本発明の一実施形態に係るデジタルカメラは、図１に示す如く、フレーム(11)にレンズ（図示せず）を取り付けて構成されるレンズユニット(１)と、該レンズユニット(１)のレンズを通過した光線が入射すべき撮像素子(２)とを具え、レンズユニット(１)と撮像素子(２)により撮像装置の撮像系の一部が構成されている。撮像素子(２)には、例えばＣＣＤ（Charge  Coupled  Device）イメージセンサやＣＭＯＳ（Complementary  Metal  Oxide  Semiconductor）イメージセンサ等を用いることが出来る。
【００１８】
上記レンズユニット(１)のフレーム(11)には、板部材(３)が複数のビス(４)・・・(４)によって固定されており、板部材(３)には、レンズユニット(１)のレンズの光軸(91)上の位置に、撮像素子(２)を収容する開口(31)が形成されている。
【００１９】
板部材(３)は、図２及び図３に示す如く、その一部が断面逆Ｕ字状に屈曲変形されており、これにより板部材(３)のレンズ側の表面(35)には、開口(31)を包囲する領域の一部、具体的には開口(31)の上方位置と下方位置（図１参照）に、開口(31)の縁に沿って延びる一対の隆起部(32)(32)が形成されている。
本実施形態においては、図１に示す様に開口(31)の縁は四角形状を有しており、上下一対の辺と左右一対の辺とから構成されている。従って、上記一対の隆起部(32)(32)は、開口(31)の上下の位置にて上下一対の辺に沿って互いに平行に延びている。
【００２０】
撮像素子(２)は、図２及び図３に示す如くその側面側に板部材(３)が位置する様に、板部材(３)の開口(31)に収容され、板部材(３)の裏面側に配置されたフレキシブル基板(５)の表面に半田(51)を用いて実装されている。
これにより、図３に示す様に、板部材(３)の隆起部(32)と撮像素子(２)との間には、フレキシブル基板(５)の表面と、撮像素子(２)の側面と、板部材(３)の隆起部(32)と、板部材(３)に形成されている開口(31)の内壁とによって包囲された空間(６)が形成されることになる。
【００２１】
上記空間(６)は、接着剤を溜めるための接着剤溜まり(61)として用いられ、該接着剤溜まり(61)には接着剤(７)が充填されている。これにより、接着剤(７)は、開口(31)の内壁と撮像素子(２)の側面との間に介在すると共に、該接着剤(７)の一部が板部材(３)の表面(35)上に迫り出すことになる。そして、迫り出した接着剤(７)は隆起部(32)によって堰き止められることになる。即ち、板部材(３)の隆起部(32)と撮像素子(２)との間に接着剤(７)が充填されることになる。
又、接着剤(７)の他の一部が、板部材(３)の裏面とフレキシブル基板(５)の表面との間に介在することになる。
【００２２】
接着剤溜まり(61)に充填された接着剤(７)が硬化することにより、撮像素子(２)は、板部材(３)の開口(31)に収容された状態で板部材(３)に対して接着固定されることになる。このとき、硬化した接着剤(７)は撮像素子(２)の側面に固着すると共に、該接着剤(７)の一部は、板部材(３)の表面(35)に固着して該表面(35)を覆うことになる。
又、接着剤(７)の他の一部によって、板部材(３)の裏面にフレキシブル基板(５)が接着されることになる。
【００２３】
図１及び図２に示す様に、撮像素子(２)の表面には弾性部材(８)が配備されており、該弾性部材(８)には、レンズからの光線を通過させて撮像素子(２)に入射させるべく開口(82)が形成されている。弾性部材(８)上には、該弾性部材(８)の開口(82)を覆ってガラス板(81)が配備されており、弾性部材(８)とガラス板(81)とが、レンズユニット(１)のフレーム(11)と撮像素子(２)とによって挟圧されている。
【００２４】
これにより、弾性部材(８)は、撮像素子(２)の表面とガラス板(81)の裏面とに密着し、従ってゴミや埃等が撮像素子(２)の表面に付着することが防止されることになる。又、弾性部材(８)により、撮像素子(２)に対して横方向から入射する光線が遮られることになる。
【００２５】
上述したデジタルカメラにおいては、隆起部(32)が板部材(３)の開口(31)の縁に沿って延びており、これにより板部材(３)の強度が高められている。従って、上述の如く弾性部材(８)が挟圧されることによって撮像素子(２)に応力が加わった場合でも、該撮像素子(２)が接着固定されている板部材(３)は変形し難く、このため撮像素子（２）の姿勢は、レンズユニット(１)のフレーム(11)に対して変化し難い。よって、上記デジタルカメラによれば、その撮影精度が高く維持されることになる。
【００２６】
更に、板部材(３)に形成された隆起部(32)は、製造工程にて接着剤(７)を塗布するべき位置を示す指標となる。よって、製造工程において誤った位置に接着剤(７)が塗布されることが防止され、その結果、撮像素子(２)の板部材(３)への接着不良が発生し難い。
【００２７】
又、上記デジタルカメラの如く板部材(３)の一部を屈曲変形させる場合には駄肉が発生しないため、従来の如く（図９参照）、板部材(３)の開口(31)を包囲する領域の少なくとも一部に潰し加工を施して、該領域に接着剤溜まり(101)が形成されている撮像装置と比較して、板部材(３)のレンズ側表面(35)の面精度が向上することになる。従って、レンズユニット(１)のフレーム(11)に対する撮像素子(２)の姿勢が変化し難く、その結果、本実施形態に係るデジタルカメラにおいて、より高い撮影精度が得られることとなる。
【００２８】
更に又、上述の如く板部材(３)の表面(35)上に迫り出した接着剤(７)は板部材(３)の隆起部(32)によって堰き止められるので、接着剤(７)は撮像素子(２)の周囲の所定の位置に留まることとなり、レンズユニット(１)のフレーム(11)と板部材(３)とが接着剤(７)を介して干渉することが防止されることになる。
【００２９】
上記デジタルカメラにおいては、上述の如く、撮像素子(２)に固着した接着剤(７)の一部が、板部材(３)のレンズ側表面(35)に固着して該表面(35)を覆っているので、接着剤(７)はビスとして機能し、従って、弾性部材(８)が挟圧されることによって撮像素子(２)に加わる応力は、撮像素子(２)と接着剤(７)を経て板部材(３)の表面(35)に受け止められることになる。よって、撮像素子(２)は、板部材(３)に強固に固定されることになる。
又、図３に示す様に接着剤(７)により板部材(３)が挟持されることになるので、板部材(３)に対する撮像素子(２)の接着強度は高くなっている。
【００３０】
図４は、上記デジタルカメラの撮像系の第１変形例を示した断面図である。図４に示す様に、板部材(３)の隆起部(32)は、該隆起部(32)を構成すべき隆起構成部材(33)を板部材(３)のレンズ側表面(35)に固着することによって形成されてもよい。尚、隆起構成部材(33)には、例えば真鍮等を用いることが出来る。
【００３１】
図５は、上記デジタルカメラの撮像系の第２変形例を示した断面図である。図５に示す様に、板部材(３)の一部を断面Ｕ字状に屈曲変形させることにより、板部材(３)の裏面に隆起部(32)が形成されてもよい。
【００３２】
上述したデジタルカメラと同様、上記第１及び第２変形例においても板部材(３)の強度が高められることになる。従って、上述の如く弾性部材(８)が挟圧されることによって撮像素子(２)に応力が加わった場合でも、該撮像素子(２)が接着固定されている板部材(３)は変形し難く、このため撮像素子（２）の姿勢は、レンズユニット(１)のフレーム(11)に対して変化し難い。よって、上記第１及び第２変形例に係るデジタルカメラによれば、その撮影精度が高く維持されることになる。
【００３３】
又、上述したデジタルカメラと同様、上記第１及び第２変形例においても駄肉が発生しないため、従来の如く（図９参照）、板部材(３)の開口(31)を包囲する領域の少なくとも一部に潰し加工を施して、該領域に接着剤溜まり(101)が形成されている撮像装置と比較して、板部材(３)のレンズ側表面(35)の面精度が向上することになる。従って、レンズユニット(１)のフレーム(11)に対する撮像素子(２)の姿勢が変化し難く、その結果、第１及び第２変形例に係る撮像系を有するデジタルカメラにおいて、より高い撮影精度が得られることとなる。
【００３４】
図６は、上記デジタルカメラの撮像系の第３変形例を示した断面図である。図６に示す様に、板部材(３)のレンズ側の表面(35)には、開口(31)を包囲する領域の少なくとも一部に、開口(31)の縁に沿って延びるクサビ状の溝部(34)が形成されてもよい。
【００３５】
上記第３変形例においては、板部材(３)に溝部(34)を形成することにより駄肉が発生することになるが、該溝部(34)の形状がクサビ状であるので、図９に示す如く板部材(３)に接着剤溜まり(101)を形成した場合と比較して、潰し加工によって板部材(３)を潰す量が少なく、従って発生する駄肉量も少ない。よって、図９に示す如く撮像系を有する従来の撮像装置と比較して、板部材(３)のレンズ側表面(35)の面精度が向上することになる。従って、レンズユニット(１)のフレーム(11)に対する撮像素子(２)の姿勢が変化し難く、その結果、第２変形例に係る撮像系を有するデジタルカメラにおいて、高い撮影精度が得られることとなる。
【００３６】
尚、本発明の各部構成は上記実施形態に限らず、特許請求の範囲に記載の技術的範囲内で種々の変形が可能である。上記実施形態においては、隆起部(32)は、板部材(３)の開口(31)の上方位置と下方位置に形成されていたが、隆起部(32)の形成位置はこれに限られるものではない。例えば、隆起部(32)は、開口(31)を包囲して形成されてもよい。即ち、隆起部(32)は、開口(31)を包囲する領域の少なくとも一部に形成されていればよい。
上述した第２変形例に係るクサビ状の溝部(34)についても同様、開口(31)を包囲する領域の少なくとも一部に形成されていればよい。
【００３７】
又、上記デジタルカメラに採用した各種構成は、デジタルカメラに限らず撮像素子(２)を有する種々の撮像装置に適用することが出来る。
【符号の説明】
【００３８】
(１)  レンズユニット
(11)  フレーム
(２)  撮像素子
(３)  板部材
(31)  開口
(32)  隆起部
(33)  隆起構成部材
(34)  溝部
(５)  フレキシブル基板
(６)  空間
(61)  接着剤溜まり
(７)  接着剤
(８)  弾性部材
【図１】
2011018954.tif 000003
【図２】
2011018954.tif 000004
【図３】
2011018954.tif 000005
【図４】
2011018954.tif 000006
【図５】
2011018954.tif 000007
【図６】
2011018954.tif 000008
【図７】
2011018954.tif 000009
【図８】
2011018954.tif 000010
【図９】
2011018954.tif 000011